(57)【要約】  カバープレートと、表示パネルと、感光体とを備える表示装置であって、カバープレートが表示パネルの上に設置され、カバープレートに遮光層が設けられ、遮光層内に光透過領域が設けられ、感光体は光透過領域に対応して設置されている表示装置である。本願の表示装置は、感光体の感光性能及び精度を向上させることができ、さらに、組み立てしやすく、組立工程が削減される。
2020521176.tif 000002
【特許請求の範囲】
【請求項１】
カバープレートと、表示パネルと、感光体とを備える表示装置であって、
前記カバープレートが前記表示パネルの上に設置され、前記カバープレートに遮光層が設けられ、前記遮光層内に光透過領域が設けられ、前記感光体は前記光透過領域に対応して設置されている
表示装置。
【請求項２】
前記表示装置は、制御部をさらに備え、
前記制御部は、一端が前記遮光層に設置されるフレキシブル回路基板を備え、
前記感光体は、前記フレキシブル回路基板と前記カバープレートとの間に位置し、かつ、前記フレキシブル回路基板に接続される
請求項１に記載の表示装置。
【請求項３】
前記フレキシブル回路基板には、一方側が前記フレキシブル回路基板に接続され、他方側が前記カバープレートに接続される両面テープが設けられている
請求項２に記載の表示装置。
【請求項４】
前記両面テープは矩形であり、
前記感光体は、前記両面テープにより囲まれた領域内に位置する
請求項３に記載の表示装置。
【請求項５】
前記カバープレートは、表示領域及び非表示領域からなり、
前記表示領域は、前記カバープレートの中央領域に位置し、
前記表示パネルに表示された画像は、前記カバープレートの表示領域から出射し、
前記非表示領域は、前記表示領域を囲むように設置され、
前記遮光層が前記非表示領域内に設けられる
請求項１〜４のいずれか一つに記載の表示装置。
【請求項６】
前記両面テープは、発泡ゴムテープである
請求項３または４に記載の表示装置。
【請求項７】
前記カバープレートには、前記光透過領域内に位置する凹溝が設けられており、前記感光体の前記フレキシブル回路基板から離れた側が前記凹溝内に位置する
請求項２または３に記載の表示装置。
【請求項８】
前記遮光層は、前記光透過領域内に設置される光半透過層を備える、
請求項７に記載の表示装置。
【請求項９】
前記凹溝の溝壁及び溝底には、前記光半透過層が設けられている、
請求項８に記載の表示装置。
【請求項１０】
前記遮光層は、前記光半透過層の周方向を囲むように設置されるインク層をさらに備える、
請求項８に記載の表示装置。
【請求項１１】
前記制御部は制御パネルをさらに備え、
前記表示パネル及び前記フレキシブル回路基板は、それぞれ、前記制御パネルに電気的に接続される
請求項２〜４のいずれか一つに記載の表示装置。
【発明の詳細な説明】
【技術分野】
【０００１】
本願は、出願人により提出された、出願日が２０１８年１月１９日、出願番号がＣＮ２０１８２００８９１０５．２、名称が「表示装置」の出願の優先権を要求する。以上の出願の全ての内容は参照によりここに組み込まれる。
本願は、ディスプレイ技術分野に関し、特に、表示装置に関する。
【背景技術】
【０００２】
液晶ディスプレイ（Ｌｉｑｕｉｄ  Ｃｒｙｓｔａｌ  Ｄｉｓｐｌａｙ；ＬＣＤ）と有機発光ディスプレイ（Ｏｒｇａｎｉｃ  Ｌｉｇｈｔ−Ｅｍｉｔｔｉｎｇ  Ｄｉｏｄｅ；ＯＬＥＤ）は、低放射性、小型、軽量、及び低消費電力などの特性を有するので、デスクトップ、ラップトップ、携帯情報端末（Ｐｅｒｓｏｎａｌ  Ｄｉｇｉｔａｌ  Ａｓｓｉｓｔａｎｔ；ＰＤＡ）、携帯電話、テレビなどの分野で広く使われている。
【０００３】
液晶ディスプレイについて説明すると、液晶ディスプレイは、主に、液晶表示パネルと、液晶表示パネルにバックライト光源を提供するバックライトモジュールとを備え、バックライトモジュールは、液晶表示パネルに画像を表示させるため、バックライト光源からの光線を、光学フィルムを介して液晶表示パネルに均一的に入射させる。電気エネルギーを節約するために、液晶ディスプレイに外部周囲光を検知するための感光体を設置して、外部環境の光線強さに応じて、液晶表示パネルの表示輝度の調整を実現する必要がある。
【０００４】
従来の感光体は、液晶表示パネルの裏側に設置されることになり、つまり、液晶表示パネルの裏側の発泡層に開口が設けられており、フレキシブル回路基板が開口までに曲げられて、両面テープによって発泡層に固定されるとともに、感光体を開口内に位置させる。そのため、外部環境の光線が、カバープレート、ＯＣＡ、ＰＯＬ、及び液晶表示パネルを通って感光体に検知されてから、液晶表示パネルの表示輝度が調節される。
【０００５】
しかしながら、液晶表示パネルの裏側における様々な素子、部品、ミドルフレーム、マザーボードなどに制限されることによって、感光体の配置のスペースが足りなくなり、フレキシブル回路基板の接合面積が小さくなり、フレキシブル回路基板が外れやすくなってしまって、感光体の信頼性が低下してしまう。しかも、外部環境の光線は、複数層の部材を通ってから感光体に検知されるため、感光体の感光効果に影響を及ぼす。なお、従来の液晶ディスプレイには、多くの要素や組立工程があり、組み立てが困難である。
【０００６】
有機発光ディスプレイについて説明すると、有機発光ディスプレイは、主に、アレイ基板と、アレイ基板上に設置された陽極、正孔注入層、正孔輸送層、有機発光層、電子輸送層、電子注入層、及び陰極とを備え、電子と正孔とが有機発光層で再結合すると、有機発光ディスプレイは画像表示を行う。電気エネルギーを節約するために、有機発光ディスプレイに外部周囲光を検知するための感光体を設置して、外部環境の光線強さに応じて、有機発光ディスプレイの表示輝度の調整を実現する必要がある。
【０００７】
従来の感光体は、有機発光ディスプレイの裏側に設置されるようになり、外部環境の光線が、カバープレート、陽極、正孔注入層、正孔輸送層、有機発光層、電子輸送層、電子注入層、陰極、及びアレイ基板を通って感光体に検知されてから、液晶表示パネルの表示輝度が調節される。
【０００８】
しかしながら、有機発光ディスプレイの裏側における様々な素子、部品、ミドルフレーム、マザーボードなどに制限されることによって、感光体の配置のスペースが足りなく、感光体に接続されるフレキシブル回路基板の接着面積が小さくなり、フレキシブル回路基板が外れやすくなってしまって、感光体の信頼性が低下してしまう。しかも、外部環境の光線は、複数層の部材を通ってから感光体に検知されるため、感光体の感光効果に影響を及ぼす。なお、従来の有機発光ディスプレイには、多くの要素や組立工程があり、組み立てが困難である。
【発明の概要】
【発明が解決しようとする課題】
【０００９】
本願は、感光体の感光性能及び精度を向上でき、さらに、組み立てしやすく、組立工程が削減される表示装置を提供することを目的としている。
【００１０】
本願は、課題を解決するために以下の技術的手段を採用する。
【課題を解決するための手段】
【００１１】
カバープレートと、表示パネルと、感光体とを備えており、カバープレートが表示パネル上に設置され、カバープレートに遮光層が設けられ、遮光層内に光透過領域が設けられ、感光体は光透過領域に対応して設置されている表示装置である。
【００１２】
本願の好ましい実施例において、上記表示装置は、制御部をさらに備え、制御部は、一端が遮光層に設置されるフレキシブル回路基板を備え、感光体は、フレキシブル回路基板とカバープレートとの間に位置し、かつ、フレキシブル回路基板に接続される。
【００１３】
本願の好ましい実施例において、上記フレキシブル回路基板には、一方側がフレキシブル回路基板に接続され、他方側がカバープレートに接続される両面テープが設けられている。
【００１４】
本願の好ましい実施例において、上記両面テープは矩形であり、感光体は、両面テープにより囲まれた領域内に位置する。
【００１５】
本願の好ましい実施例において、上記カバープレートは、表示領域及び非表示領域からなり、表示領域は、カバープレートの中央領域に位置し、表示パネルに表示された画像は、カバープレートの表示領域から出射し、非表示領域は、表示領域を囲むように設置され、遮光層が非表示領域内に設けられる。
【００１６】
本願の好ましい実施例において、上記両面テープは発泡ゴムテープである。
【００１７】
本願の好ましい実施例において、上記カバープレートには、光透過領域内に位置する凹溝が設けられており、感光体のフレキシブル回路基板から離れた側が凹溝内に位置する。
【００１８】
本願の好ましい実施例において、上記遮光層は、光透過領域内に設置される光半透過層を備える。
【００１９】
本願の好ましい実施例において、上記凹溝の溝壁及び溝底には、光半透過層が設けられている。
【００２０】
本願の好ましい実施例において、上記遮光層は、光半透過層の周方向を囲むように設置されるインク層をさらに備える。
【００２１】
本願の好ましい実施例において、上記制御部は制御パネルをさらに備え、表示パネル及びフレキシブル回路基板は、それぞれ、制御パネルに電気的に接続される。
【発明の効果】
【００２２】
本願の表示装置は、カバープレートが、表示パネル上に設置され、カバープレートに遮光層が設けられ、遮光層内に光透過領域が設けられ、感光体が光透過領域に対応して設置されている。感光体はカバープレートの下方に設置されているため、周囲光が、表示装置のカバープレートのみを透過すれば感光体に検知される。その結果、感光体の感光性能及び精度が向上し、さらに、組み立てしやすくなり、組立工程が削減される。
【００２３】
上記説明は、本出願の技術的手段の概要に過ぎない。本出願の技術的手段をより明確に理解し、明細書の内容に従って実施できるように、さらに、本出願の上記及び他の目的、特徴及び利点をより明らかにするため、以下に添付図面を参照しながら、好適な実施例について詳細に説明する。
【図面の簡単な説明】
【００２４】
【図１】図１は、本願の表示装置の構成を示す模式図である。
【図２】図２は、本願の第１の実施例による表示装置の一部を示す平面模式図である。
【図３】図３は、図２の表示装置の一部を示す断面模式図である。
【図４】図４は、本願の第２の実施例による表示装置の一部を示す断面模式図である。
【発明を実施するための形態】
【００２５】
本願の所定の目的を達成するために採用される技術的手段及び効果をさらに説明するために、本願による表示装置の具体的な実施形態、構造、特徴及び効果を、添付の図面及び好適な実施例を参照しながら以下に詳細に説明する。
【００２６】
本願に係る上記及び他の技術的態様、特徴、及び効果は、以下の参照図面に合わせた好適な実施例の説明から明らかになるであろう。本願の所定の目的を達成するために採用される技術的手段及び効果は、具体的な実施形態の説明によってさらに深くそして具体的に理解されることができるが、添付の図面は参照及び説明のためのものにすぎず、本出願を制限するものではない。
【００２７】
図１は、本願の表示装置の構成を示す模式図である。図１に示すように、表示装置１０（１０’）は、カバープレート１２（１２’）と、表示パネル１３と、制御部とを備える。本実施例において、カバープレート１２（１２’）は、表示パネル１３の上に設置されており、制御部は、表示パネル１３に電気的に接続されており、表示パネル１３による画像表示、及び、表示パネル１３の発光輝度を制御するためのものである。
【００２８】
ちなみに、本願の表示パネル１３は、液晶表示パネルまたはＯＬＥＤ表示パネルであり、実際の必要に応じて自由に選択できる。例えば、制御部は、表示パネル１３が液晶表示パネルである場合に、液晶ディスプレイのバックライトの輝度を制御でき、表示パネル１３がＯＬＥＤ表示パネルである場合に、ＯＬＥＤ表示パネルの自発光の輝度を制御できる。
【００２９】
図２は、本願の第１の実施例による表示装置の一部を示す平面模式図である。図３は、図２の表示装置の一部を示す断面模式図である。図２及び図３に示すように、カバープレート１２は、表示領域１０１及び非表示領域１０２を含む。表示領域１０１は、カバープレート１２の中央領域に位置し、表示パネル１３に表示されている画像の光が、カバープレート１２の表示領域１０１から出射できる。非表示領域１０２は、カバープレート１２の外縁領域に位置し、つまり、非表示領域１０２は、表示領域１０１の周方向を囲むように設置され、非表示領域１０２内には光線を遮断する遮光層１２２が設けられている。
【００３０】
さらに、遮光層１２２の一部には光を部分的に透過させる光透過領域１０３が設けられ、つまり、光線が、遮光層１２２の光透過領域１０３を介して表示装置１０に入射でき、または、遮光層１２２の光透過領域１０３を介して表示装置１０から出射できる。遮光層１２２は、光透過領域１０３内に設置される光半透過層１２３と、光半透過層１２３の周方向を囲むように設置されるインク層１２４とを含み、つまり、カバープレート１２の非表示領域１０２の大部の領域にインク層１２４が設置され、非表示領域１０２の一部の領域（遮光層１２２の光透過領域１０３）に光半透過層１２３が設置されている。本実施例において、インク層１２４は、光線の表示装置１０への入射を完全に遮断でき、光半透過層１２３は、光の一部の表示装置１０への入射を許容することができ、デバイスを隠すという効果を実現できる。
【００３１】
制御部は、制御パネル（図示せず）と、フレキシブル回路基板１５２（ＦＰＣ）とを備える。制御パネルには、タイミングコントロールチップ、電源、駆動チップ、コネクタ、システムコネクタなどのデバイスが設けられており、制御パネルは、表示パネル１３に電気的に接続される。フレキシブル回路基板１５２は、一端が制御パネルに接続され、フレキシブル回路基板１５２の他端がカバープレート１２の遮光層１２２に設置される。フレキシブル回路基板１５２には、一方側がフレキシブル回路基板１５２に接続され、他方側がカバープレート１２の遮光層１２２に接続される両面テープ１５３と、感光体１５４とが設けられている。感光体１５４は、フレキシブル回路基板１５２に接続され、つまり、カバープレート１２とフレキシブル回路基板１５２との間に位置し、光透過領域１０３に対応して設置される。そのため、感光体１５４は周囲光の強度を検知できる。さらに、制御パネルによって表示パネル１３の輝度が制御され、すなわち、表示パネル１３の画像輝度の調節が実現される。本実施例において、両面テープ１５３は発泡ゴムテープ（これに限らない）であり、かつ矩形であり、感光体１５４は、両面テープ１５３により囲まれた領域内に位置する。
【００３２】
本願の表示装置１０は、感光体１５４により周囲光の強さを検知することができ、また、感光体１５４はカバープレート１２の下方に設置されているので、周囲光が、表示装置１０のカバープレート１２のみを透過すれば感光体１５４に検知される。その結果、感光体１５４の感光性能が向上する。しかも、カバープレート１２の遮光層１２２上の部品の数が少なく、両面テープ１５３のための十分な接着面積を有する。その結果、フレキシブル回路基板１５２がカバープレート１２に強固に固定され、感光体１５４の信頼性が向上する。なお、カバープレート１２は、非表示領域１０２が大きなスペースを有するため、より組み立てしやすくなる。その結果、組立工程が削減されるだけでなく、感光体１５４の精度も向上する。
【００３３】
図４は、本願の第２の実施例による表示装置の一部を示す断面模式図である。図４に示すように、本願の表示装置１０’は、概ね前記第１の実施形態の表示装置１０と同様な構成を有しているが、カバープレート１２’の構成が異なる。
【００３４】
具体的に、カバープレート１２’は表示領域１０１と非表示領域１０２とを含む。表示領域１０１は、カバープレート１２’の中央領域に位置し、表示パネル１３に表示された画像の光が、カバープレート１２’の表示領域１０１から出射できる。非表示領域１０２は、カバープレート１２’の外縁領域に位置し、つまり、非表示領域１０２は、表示領域１０１の周方向を囲むように設置され、非表示領域１０２内には光線を遮断する遮光層１２２が設けられている。
【００３５】
遮光層１２２の一部には光を部分的に透過させる光透過領域１０３が設けられ、つまり、光線が、遮光層１２２の光透過領域１０３を介して表示装置１０’に入射でき、または、遮光層１２２の光透過領域１０３を介して表示装置１０’から出射できる。遮光層１２２は、光透過領域１０３内に設置される光半透過層１２３と、光半透過層１２３の周方向を囲むように設置されるインク層１２４とを含み、つまり、カバープレート１２’の非表示領域１０２は、大部の領域にインク層１２４が設置され、一部の領域（遮光層１２２の光透過領域１０３）に光半透過層１２３が設置されている。本実施例において、インク層１２４は、光線の表示装置１０’への入射を完全に遮断でき、光半透過層１２３は、光線の一部の表示装置１０’への入射を許容することができ、デバイスを隠すという効果を実現できる。
【００３６】
さらに、カバープレート１２’には、光透過領域１０３内に位置する凹溝１０４が設けられており、感光体１５４のフレキシブル回路基板１５２から離れた側が凹溝１０４内に位置する。本実施例において、フレキシブル回路基板１５２は、感光体１５４が凹溝１０４内に位置するよう、両面テープ１５３によってカバープレート１２’に直接接続される。さらに、凹溝１０４の溝壁及び溝底に光半透過層１２３が設けられ、感光体１５４が有効に隠されるようになる。特に、周囲光が弱い場合、感光体１５４が光半透過層１２３によって効果的に隠される。
【００３７】
本願の表示装置１０、１０’は、カバープレート１２、１２’が、表示パネル１３に設置され、カバープレート１２、１２’に遮光層１２２が設けられ、遮光層１２２内に光透過領域１０３が設けられ、感光体１５４が光透過領域１０３に対応して設置されている。感光体１５４は、カバープレート１２、１２’の下方に設置されているので、周囲光が、表示装置１０、１０’のカバープレート１２、１２’のみを透過すれば感光体１５４に検知される。その結果、感光体１５４の感光性能及び精度が向上し、さらに、組み立てしやすくなり、組立工程が削減される。
【００３８】
以上、添付図面を参照しながら本発明の好適な実施形態について詳細に説明したが、本願は、上記実施形態における具体的な詳細に限定されず、本願の技術的思想の範囲内で本願の技術的手段についての様々な簡単な変形が可能であり、これらの簡単な変形はいずれも本出願の請求の範囲に含まれる。上記の具体的な実施形態に記載された各具体的な技術的特徴は、矛盾しない限り、任意の適切な方法で組み合わせることができる。不必要な繰り返しを避けるために、本出願は様々な可能な組み合わせについてこれ以上の説明はしない。
【図１】
2020521176.tif 000003
【図２】
2020521176.tif 000004
【図３】
2020521176.tif 000005
【図４】
2020521176.tif 000006
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
カバープレートと、表示パネルと、感光体とを備える表示装置であって、
前記カバープレートが前記表示パネルの上に設置され、前記カバープレートに遮光層が設けられ、前記遮光層内に光透過領域が設けられ、前記感光体は前記光透過領域に対応して設置されている
ことを特徴とする表示装置。
【請求項２】
前記表示装置は、制御部をさらに備え、
前記制御部は、一端が前記遮光層に設置されるフレキシブル回路基板を備え、
前記感光体は、前記フレキシブル回路基板と前記カバープレートとの間に位置し、かつ、前記フレキシブル回路基板に接続される
ことを特徴とする請求項１に記載の表示装置。
【請求項３】
前記フレキシブル回路基板には、一方側が前記フレキシブル回路基板に接続され、他方側が前記カバープレートに接続される両面テープが設けられている
ことを特徴とする請求項２に記載の表示装置。
【請求項４】
前記両面テープは矩形であり、
前記感光体は、前記両面テープにより囲まれた領域内に位置する
ことを特徴とする請求項３に記載の表示装置。
【請求項５】
前記カバープレートは、表示領域及び非表示領域からなり、
前記表示領域は、前記カバープレートの中央領域に位置し、
前記表示パネルに表示された画像の光は、前記カバープレートの表示領域から出射し、
前記非表示領域は、前記表示領域を囲むように設置され、
前記遮光層が前記非表示領域内に設けられる
ことを特徴とする請求項１〜４のいずれか一つに記載の表示装置。
【請求項６】
前記両面テープは、発泡ゴムテープである
ことを特徴とする請求項３または４に記載の表示装置。
【請求項７】
前記カバープレートには、前記光透過領域内に位置する凹溝が設けられており、前記感光体の前記フレキシブル回路基板から離れた側が前記凹溝内に位置する
ことを特徴とする請求項２または３に記載の表示装置。
【請求項８】
前記遮光層は、前記光透過領域内に設置される光半透過層を備える、
ことを特徴とする請求項７に記載の表示装置。
【請求項９】
前記凹溝の溝壁及び溝底には、前記光半透過層が設けられており、
前記遮光層は、前記光半透過層の周方向を囲むように設置されるインク層をさらに備える
ことを特徴とする請求項８に記載の表示装置。
【請求項１０】
前記制御部は制御パネルをさらに備え、
前記表示パネル及び前記フレキシブル回路基板は、それぞれ、前記制御パネルに電気的に接続される
ことを特徴とする請求項２〜４のいずれか一つに記載の表示装置。
【手続補正２】
【補正対象書類名】明細書
【補正対象項目名】０００２
【補正方法】変更
【補正の内容】
【０００２】
液晶ディスプレイ（Ｌｉｑｕｉｄ  Ｃｒｙｓｔａｌ  Ｄｉｓｐｌａｙ；ＬＣＤ）と有機発光ディスプレイ（Ｏｒｇａｎｉｃ  Ｌｉｇｈｔ−Ｅｍｉｔｔｉｎｇ  Ｄｉｓｐｌａｙ；ＯＬＥＤ）は、低放射性、小型、軽量、及び低消費電力などの特性を有するので、デスクトップ、ラップトップ、携帯情報端末（Ｐｅｒｓｏｎａｌ  Ｄｉｇｉｔａｌ  Ａｓｓｉｓｔａｎｔ；ＰＤＡ）、携帯電話、テレビなどの分野で広く使われている。
【手続補正３】
【補正対象書類名】明細書
【補正対象項目名】０００４
【補正方法】変更
【補正の内容】
【０００４】
従来の感光体は、液晶表示パネルの裏側に設置されることになり、つまり、液晶表示パネルの裏側の発泡層に開口が設けられており、フレキシブル回路基板が開口までに曲げられて、両面テープによって発泡層に固定されるとともに、感光体を開口内に位置させる。そのため、外部環境の光線が、カバープレート、ＯＣＡ、ＰＯＬ、及び液晶表示パネルを通って感光体に検知されてから、有機発光ディスプレイの表示輝度が調節される。
【手続補正４】
【補正対象書類名】明細書
【補正対象項目名】００１５
【補正方法】変更
【補正の内容】
【００１５】
本願の好ましい実施例において、上記カバープレートは、表示領域及び非表示領域からなり、表示領域は、カバープレートの中央領域に位置し、表示パネルに表示された画像の光は、カバープレートの表示領域から出射し、非表示領域は、表示領域を囲むように設置され、遮光層が非表示領域内に設けられる。
【国際調査報告】
2020521176.tif 000007
2020521176.tif 000008
2020521176.tif 000009
2020521176.tif 000010